(57)【要約】【課題】  吸放湿性に優れ、汗をかいたりした場合でも異臭を発生することがなく、快適な感触を保持するフットカバーを提供すること。【解決手段】  爪先を収容する爪先部、踵を収容する踵部、及び前記爪先部と前記踵部を連結する足底部からなり、かつ足の甲を被覆しないフットカバーにおいて、前記フットカバーを構成する布帛が絹糸とポリウレタン糸を混編したものであることを特徴とするフットカバー。  爪先を収容する爪先部、及び前記爪先部の両側から延長されて踵の上部を周回するストラップ部からなり、かつ足の甲、土踏まずより後の足底部、及び踵の下部を被覆しないフットカバーにおいて、前記フットカバーを構成する布帛が絹糸とポリウレタン糸を混編したものであることを特徴とするフットカバー。【選択図】  図１
0003104695.tif 000002
【実用新案登録請求の範囲】
【請求項１】
爪先を収容する爪先部、踵を収容する踵部、及び前記爪先部と前記踵部を連結する足底部からなり、かつ足の甲を被覆しないフットカバーにおいて、前記フットカバーを構成する布帛が絹糸とポリウレタン糸を混編したものであることを特徴とするフットカバー。
【請求項２】
爪先を収容する爪先部、及び前記爪先部の両側から延長されて踵の上部を周回するストラップ部からなり、かつ足の甲、土踏まずより後の足底部、及び踵の下部を被覆しないフットカバーにおいて、前記フットカバーを構成する布帛が絹糸とポリウレタン糸を混編したものであることを特徴とするフットカバー。
【考案の詳細な説明】
【技術分野】
【０００１】
本考案は、新規な布帛を用いることにより優れた吸放湿性を奏するフットカバーに関する。
【背景技術】
【０００２】
フットカバーは婦人用パンプスシューズや紳士用スリップオンシューズ等を着用する際に用いる変形靴下の一種であり、足の甲を大きく露出させて素足で履いているように見せるためのものである。
【０００３】
フットカバーの素材としては靴下と同様、綿やポリエステル等が従来一般的に用いられている。しかしながら、これらの素材で作られたフットカバーは吸放湿性が悪いため、汗をかいたりした場合に蒸れやすく、異臭を発生したり不快な感触を与えたりすることがある。
【考案の開示】
【考案が解決しようとする課題】
【０００４】
本考案は上述のような従来のフットカバーの有する欠点に鑑み創案されたものであり、その目的は吸放湿性に優れ、汗をかいたりした場合でも異臭を発生することがなく、快適な感触を保持するフットカバーを提供することである。
【課題を解決するための手段】
【０００５】
本考案者は上記課題を解決すべく、フットカバーを構成する布帛の素材について鋭意検討した結果、絹糸とポリウレタン糸を混編したいわゆるシルクニットを用いるとフットカバーの吸放湿性を著しく増大させることができることを見出し、遂に本考案を想到するに至った。
【０００６】
即ち、本考案の第一態様によれば、爪先を収容する爪先部、踵を収容する踵部、及び前記爪先部と前記踵部を連結する足底部からなり、かつ足の甲を被覆しないフットカバーにおいて、前記フットカバーを構成する布帛が絹糸とポリウレタン糸を混編したものであることを特徴とするフットカバーが提供される。
【０００７】
また、本考案の第二態様によれば、爪先を収容する爪先部、及び前記爪先部の両側から延長されて踵の上部を周回するストラップ部からなり、かつ足の甲、土踏まずより後の足底部、及び踵の下部を被覆しないフットカバーにおいて、前記フットカバーを構成する布帛が絹糸とポリウレタン糸を混編したものであることを特徴とするフットカバーが提供される。
【考案の効果】
【０００８】
本考案のフットカバーは吸放湿性に優れ、汗をかいたりした場合でも異臭を発生することがなく快適な感触を保持することができるという効果がある。
【考案を実施するための最良の形態】
【０００９】
以下、本考案について図面を用いて更に説明するが、本考案はこれらに限定されるものではない。
【００１０】
図１は本考案の第一態様によるフットカバーを着用状態で示す模式図であり、（ａ）は側面図、（ｂ）は上面図、（ｃ）は底面図、（ｄ）は背面図である。
【００１１】
図１から理解される通り、本考案の第一態様によるフットカバーは爪先を収容する爪先部１、踵を収容する踵部２、及び爪先部１と踵部２を連結する足底部３からなっている。また、このフットカバーは足の甲４を被覆しないので、パンプス等を着用してもフットカバーがパンプス等から露出することがない。
【００１２】
かかるフットカバーは従来公知のいずれの方法でも作製できるが、例えば爪先部の上側を構成する布帛と爪先部の下側、足底部及び踵部を構成する布帛の２枚の布帛を準備してこれらを縫合して爪先部を形成させ、次に後者の布帛の踵部に相当する端部をつまんで接合して踵を収容するのに適した立体構造を形成させることによって作製することができる。
【００１３】
フットカバーの履き口の周縁にはゴム（図示せず）が設けられており、足への装着性を高めている。また、踵部２の内側には踵からフットカバーが滑り落ちにくくするため弾性体（図示せず）が取付けられてもよい。弾性体は薄いスポンジやウレタン等で形成された半円形状の部材であることができる。
【００１４】
爪先部１の形状は靴の形状により変えることができ、足の甲の露出度が極めて大きい靴の場合は爪先部１の被覆面積を図示したものより小さくするようにしてもよく、逆に足の甲の露出度が小さい靴の場合は爪先部１の被覆面積を図示したものより大きくするようにしてもよい。要はフットカバーが靴からはみ出して見えない程度であればよい。
【００１５】
次に本考案の第二態様について図２を参照して説明する。図２は本考案の第二態様によるフットカバーを着用状態で示す模式図であり、（ａ）は側面図、（ｂ）は上面図、（ｃ）は底面図、（ｄ）は背面図である。
【００１６】
本考案の第一態様と第二態様の相違は、フットカバーの被覆する範囲にある。即ち、本考案の第一態様のフットカバーが足の爪先、足底及び踵の全てを被覆するのに対し、本考案の第二態様によるフットカバーは土踏まずより後の足底部及び踵の下部は被覆しない。具体的には図２から理解される通り、本考案の第二態様によるフットカバーは爪先を収容する爪先部１、及び爪先部１の両側から延長されて踵の上部を周回するストラップ部５からなっており、足の甲４のみならず土踏まずより後の足底部７及び踵の下部８も被覆しない。従って、本考案の第二態様のフットカバーはサンダル、ミュール等の足の後部や踵が大きく露出された靴を着用してもこれらの靴からのフットカバーの露出を皆無又は最小限に抑えることができる。かかる形状のフットカバーは本考案により初めて提供されるものである。
【００１７】
かかるフットカバーは任意の方法で作製することができるが、例えば適当な直径で丸編みした布帛から甲部分及び土踏まずより後の足底部及び踵の下部に対応する部分を裁断して切除し、爪先部の先端及びストラップの中央を縫合することにより作製することができる。
【００１８】
本考案の第二態様のフットカバーにおいて爪先部１の形状は第一態様のフットカバーと同様、靴の形状により変えることができる。また、ストラップ部５の形状も靴の形状により変えることができる。さらに、図２に示したフットカバーにおいては土踏まず６を被覆していないが、もちろん爪先部の下側を後方に延長して土踏まず６も被覆するようにしてもよい。要はフットカバーがサンダル、ミュール等の靴からはみ出して見えないか又はこれらの靴からのはみ出しが最小になる程度であればよい。
【００１９】
上述した本考案の第一態様と第二態様のフットカバーの最大の特徴はフットカバーを構成する布帛として絹糸とポリウレタン糸を混編した、いわゆるシルクニットを用いた点にある。かかる特徴により本考案のフットカバーはフットカバーとして十分な伸縮を有しつつ、優れた吸放湿性を示すことができる。布帛中の絹糸とポリウレタン糸の比率はフットカバーとしての良好なフィット性を示す範囲であれば何ら限定されるものではないが、例えば絹糸９５重量％、ポリウレタン糸５重量％とすることができる。また、編成の方法としては靴下等の編成に用いられる従来公知のいずれの方法も採用することができるが、例えばリブ編み（特に１×１のリブ編み）や天竺編みを採用することができる。
【００２０】
本考案のフットカバーはフットカバーを構成する布帛に絹が含まれているため、優れた吸放湿性を示す。従って、本考案のフットカバーはたとえ汗をかいたりした場合でも直ちに汗を吸い取り空気中に放出するので、快適な感触を保持することができる。また、細菌等の増殖に必要な水分が直ちに発散されるので、細菌等の増殖が抑制され、異臭を発生することがない。加えて、本考案のフットカバーは絹糸にポリウレタン糸を混編しているので、フットカバーとして十分な伸縮性をもたせることができる。
【図面の簡単な説明】
【００２１】
【図１】本考案の第一態様によるフットカバーを着用状態で示す模式図である。
【図２】本考案の第二態様によるフットカバーを着用状態で示す模式図である。
【符号の説明】
【００２２】
１：爪先部
２：踵部
３：足底部
４：足の甲
５：ストラップ部
６：土踏まず
７：土踏まずより後の足底部
８：踵の下部
【図１】
0003104695.tif 000003
【図２】
0003104695.tif 000004